Podtech/llm-jp-corpus-v4-ja_patent huggingface dataset:
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
結合ポリマーを調製するための方法であって、
（ｉ）モノマーを重合して反応性ポリマーを形成する工程と、
（ｉｉ）該反応性ポリマーを、ニトロ基を含有するカルボン酸エステル又はチオカルボン酸エステルと反応させる工程であって、該ニトロ基を含有するカルボン酸エステル又はチオカルボン酸エステルは、単一のニトロ基を含む、工程と、を含む、方法。
【請求項２】
前記ニトロ基を含有するカルボン酸エステル又はチオカルボン酸エステルは、式Ｉ：
【化１】
2017530244.tif 000001
（式中、各αは独立に、酸素原子又は硫黄原子であり、Ｒ１は、一価の有機基であり、Ｒ２は、結合又は二価の有機基であり、あるいはＲ１及びＲ２は、結合して三価の有機基を形成し、Ｒ１及びＲ２にはニトロ基が無い）によって規定されるニトロ基を含有するカルボン酸エステルである、請求項１に記載の方法。
【請求項３】
前記ニトロ基を含有するカルボン酸エステル又はチオカルボン酸エステルは、式ＩＩ：
【化２】
2017530244.tif 000002
（式中、Ｒ１は、一価の有機基であり、Ｒ２は、結合又は二価の有機基であり、あるいはＲ１及びＲ２は、結合して三価の有機基を形成し、Ｒ１及びＲ２にはニトロ基が無い）によって規定される、請求項１に記載の方法。
【請求項４】
前記ニトロ基を含有するカルボン酸エステル又はチオカルボン酸エステルは、ニトロアレンカルボン酸エステル、ニトロアルカンカルボン酸エステル、ニトロアルケンカルボン酸エステル、ニトロアルキンカルボン酸エステル、ニトロシクロアルカンカルボン酸エステル、ニトロシクロアルケンカルボン酸エステル、ニトロシクロアルキンカルボン酸エステル、及びニトロ複素環カルボン酸エステルからなる群から選択されるニトロ基を含有するカルボン酸エステルである、請求項１に記載の方法。
【請求項５】
前記モノマーには、共役ジエンモノマーが含まれる、請求項１に記載の方法。
【請求項６】
前記重合する工程は、配位触媒を用いる、請求項５に記載の方法。
【請求項７】
前記配位触媒は、ランタニド系触媒であり、
前記ランタニド系触媒には、（ａ）ランタニド含有化合物、（ｂ）アルキル化剤、及び（ｃ）ハロゲン源が含まれる、請求項６に記載の方法。
【請求項８】
前記モノマーを重合する工程は、有機溶媒が２０重量％未満で含まれる重合混合物内で行なう、請求項７に記載の方法。
【請求項９】
前記重合する工程は、アニオン性開始剤を用いる、請求項５に記載の方法。
【請求項１０】
（ｉ）モノマーを重合して反応性ポリマーを形成する工程と、
（ｉｉ）該反応性ポリマーを、ニトロ基を含有するカルボン酸エステル又はチオカルボン酸エステルと反応させる工程であって、該ニトロ基を含有するカルボン酸エステル又はチオカルボン酸エステルは、単一のニトロ基を含む、工程と、によって調製される、結合ポリマー。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
下記式：
【化１】
2017530192.tif 000001
[式中、
Ｑは、示されるように環に窒素を導入するために反応する第一級アミンを有する任意の実体であり；
Ｗは、Ｎ、Ｏ、Ｓ又は(ＣＨ２)ｎであり、ここでｎは０又は１であり；
Ｒ２は、−Ｃ（Ｏ）ＯＨ; −Ｃ（Ｏ）Ｏ（Ｃ １−Ｃ４アルキル）; −Ｃ（Ｏ）−ＮＨＲ５（ここで、Ｒ５は、Ｃ１−Ｃ４アルキル、又はポリマー上の部分であり得るアミド基である）であり；そして
ｍは、１〜４である。]
で表される、蛍光性環状アミド、環状尿素、環状ウレタン及び環状アミノアミド又はアミド尿素化合物（但し、前記式（Ｉ）の化合物は、存在するそのような環状アミド、尿素、ウレタン又は環状アミド実体を有さないＱＨ２であるその基本化合物の値の少なくとも１０倍、蛍光する、あるいは、ピロリジン部分が存在する場合には、総ピロリジン部分は１００ＫＤａ以下の分子量を有し、そして式（Ｉ）の化合物は２〜５０ｎｍである。）。
【請求項２】
その発光が、４００−８５０ｎｍの可視近赤外領域にある、請求項１に記載の化合物。
【請求項３】
下記式：
【化２】
2017530192.tif 000002
[式中、
Ｑは、式（ＩＶ）の化合物中に窒素原子を導入するために反応する少なくとも１つの第一級アミンを有し、そしてピロリドン部分の一部になる任意の実体であり；
ｘは、１〜Ｑに存在する第一窒素の総数であり；
Ｒ２は、−Ｃ（Ｏ）ＯＨ; −Ｃ（Ｏ）Ｏ（Ｃ １−Ｃ４アルキル）; −Ｃ（Ｏ）−ＮＨＲ ５（ここで、Ｒ５は、Ｃ１−Ｃ４アルキル、又はポリマー上の部分であり得るアミド基である）であり；そして
但し、総ピロリドン部分は、１００ＫＤａ以下の分子量を有し、そして式（ＩＶ）の化合物は２〜５０ｎｍである。]
で表される化合物。
【請求項４】
インビボ生物学的注入及びイメージング用途のために適切である、固有蛍光（ＩＦ）、低毒性及び低補体活性化性質を示す、式（ＩＶ）のＭＷ調節されたピロリドン部分含有の式（ＩＶ）のポリマー組成物である、請求項３に記載の化合物。
【請求項５】
前記化合物が細胞に対して非免疫原性である、請求項１又は４に記載の化合物。
【請求項６】
Ｒ２が、−Ｃ（Ｏ）Ｏ（Ｃ１−Ｃ４アルキル)又は−Ｃ（Ｏ）ＯＨである、請求項１又は３に記載の化合物。
【請求項７】
Ｗが(ＣＨ２)ｎ（ここで、ｎは１であり）;そしてｍは１である、請求項１に記載の化合物。
【請求項８】
Ｑが、アミン末端樹枝状ポリマー又はアミン末端デンドロンである、請求項１又は３に記載の化合物。
【請求項９】
Ｑが、(Ｃ１−Ｃ２０アルキル) アミン、 (Ｃ１−Ｃ２０ヒドロキシルアルキル) アミン、（Ｃ１−Ｃ２０ アルキルエーテル) アミン、Ｃ６−Ｃ１４ アリール又は (Ｃ６−Ｃ１４アリールＣ１−Ｃ４アルキル) アミンである、請求項１又は３に記載の化合物。
【請求項１０】
下記式（III）：
【化３】
2017530192.tif 000003
［式中、
Ｒは、Ｃ１−Ｃ１８アルキル、Ｃ６−Ｃ１２アリール、Ｃ６−Ｃ１２ アリーレン, (Ｃ１−Ｃ１２アルキル) Ｃ６−Ｃ１２アリーレンであり；
ｎは、４〜１００であり；そして
Ｘ＝Ｙは独立に、Ｈ、−ＯＨ、−ＮＨ２、 −ＳＨ、−ＣＯ２Ｈ、アルキン、アジド、又は任意の適切な反応性部分／誘導体であり、それらは所望の／標的化された基質、例えばペプチド、タンパク質、抗体、酵素、ポリ核酸、薬物、ナノ粒子、微粒子、リポソーム、ミセル、デンドリマー、デンドロン、デンドリマーソーム（dendrimersomes）、医薬品、又は他の生物学的実体又はそれらのフラグメントへのピロリジン化試薬を結合するために必要とされる。］
を有する、活性化されたピロリジノン化試薬が製造される、請求項１又は３に記載の化合物。
【請求項１１】
−ＣＯ２Ｈの医薬的に許容される塩及びエステルが含まれる、請求項１、４及び１０のいずれか１項に記載の化合物。
【請求項１２】
蛍光により種々のシステム、試験、植物、動物、又はヒトにおける部分及び流体を追跡し、そして請求項１に記載の式（Ｉ）の化合物を用いて蛍光により前記部分の位置をモニターするか、又は検出することを補助する方法。
【請求項１３】
請求項４又は１０に記載の化合物を、ＰＥＧ化においてＰＥＧの代わりに使用する方法。
【請求項１４】
請求項３に記載の式（ＩＶ）の化合物の調製方法であって、
請求項３に記載のＱと、任意にはメタノール中、ＩＴＡ、ＩＴＥ、又はＤＭＩの試薬とを、種々の第一級アミン部分と試薬との間の所望の化学量論比で、反応させ、ここで得られる式（ＩＶ）の化合物は、ピロリドン部分の１００ＫＤａ以下の全分子量を有し、そして式（ＩＶ）の化合物のサイズが２〜５０ｎｍである、方法。
【請求項１５】
ＷはＣＨ２、ｍは１であり、４−カルボキシ−ピロリドンを形成し；
ＱはＣ２−Ｃ８アルキレンジアミン、アルキレントリアミン、テトラミン、疎水性アルキルアミン、又はキレート化もしくは他の分子に結合することを促進する機能性アミンである、請求項１に記載の化合物。
【誤訳訂正書】
【提出日】平成29年4月4日(2017.4.4)
【誤訳訂正１】
【訂正対象書類名】特許請求の範囲
【訂正対象項目名】全文
【訂正方法】変更
【訂正の内容】
【特許請求の範囲】
【請求項１】
グラフェンシートと、ケイ素を含む少なくとも１種の補強材と、少なくとも１種のゴムと、を含む組成物。
【請求項２】
更にカーボンブラックを含む請求項１に記載の組成物。
【請求項３】
該補強材がシリカである請求項１に記載の組成物。
【請求項４】
該補強材が少なくとも１種のケイ酸塩である請求項１に記載の組成物。
【請求項５】
該ゴムが天然ゴム、ブチルゴム、スチレン−ブタジエンゴム、及び１，４−ポリブタジエンゴムからなる群から選択される１種以上のゴムである請求項１に記載の組成物。
【請求項６】
該グラフェンシートが少なくとも３００ｍ２／ｇの表面積を有する請求項１に記載の組成物。
【請求項７】
該グラフェンシートが少なくとも４００ｍ２／ｇの表面積を有する請求項１に記載の組成物。
【請求項８】
該グラフェンシートが少なくとも１０：１の炭素対酸素モル比を有する請求項１に記載の組成物。
【請求項９】
該グラフェンシートが少なくとも２０：１の炭素対酸素モル比を有する請求項１に記載の組成物。
【請求項１０】
該ゴム１００重量部に対して０．１〜２０重量部のグラフェンシートを含む請求項１に記載の組成物。
【請求項１１】
該ゴム１００重量部に対し０．５〜１０重量部のグラフェンシートを含む請求項１に記載の組成物。
【請求項１２】
グラフェンシート、ケイ素を含む少なくとも１種の補強材、及び少なくとも１種のゴムを混合する工程を含むゴム組成物の製造方法。
【請求項１３】
該グラフェンシートが少なくとも３００ｍ２／ｇの表面積を有する請求項１２に記載の方法。
【請求項１４】
該グラフェンシートが少なくとも４００ｍ２／ｇの表面積を有する請求項１２に記載の方法。
【請求項１５】
該グラフェンシートが少なくとも１０：１の炭素対酸素モル比を有する請求項１２に記載の方法。
【請求項１６】
該組成物が該ゴム１００重量部に対し０．１〜２０重量部のグラフェンシートを含む請求項１２に記載の方法。
【請求項１７】
請求項１に記載の組成物から作られる物品。
【請求項１８】
請求項１７に記載の物品がタイヤの形態である物品。
【請求項１９】
グラフェンシート、ケイ素を含む少なくとも１種の補強材、及び少なくとも１種のゴムを含む組成物からなるトレッド、ベルト、サイドウォール、及び／又はインナーライナーを有する請求項１８に記載のタイヤ。
【請求項２０】
該グラフェンシートが少なくとも３００ｍ２／ｇの表面積を有する請求項１８に記載のタイヤ。
【誤訳訂正２】
【訂正対象書類名】明細書
【訂正対象項目名】００５１
【訂正方法】変更
【訂正の内容】
【００５１】
【表１】
2015501873.tif 000001
【誤訳訂正３】
【訂正対象書類名】明細書
【訂正対象項目名】００５２
【訂正方法】変更
【訂正の内容】
【００５２】
【表２】
2015501873.tif 000002
【誤訳訂正４】
【訂正対象書類名】明細書
【訂正対象項目名】００５３
【訂正方法】変更
【訂正の内容】
【００５３】
【表３】
2015501873.tif 000003
【誤訳訂正５】
【訂正対象書類名】明細書
【訂正対象項目名】００５４
【訂正方法】変更
【訂正の内容】
【００５４】
【表４】
2015501873.tif 000004
【誤訳訂正書】
【提出日】平成28年12月13日(2016.12.13)
【誤訳訂正１】
【訂正対象書類名】明細書
【訂正対象項目名】００２２
【訂正方法】変更
【訂正の内容】
【００２２】
いくつかの好ましい実施形態では、抗エキソサイト１抗体分子は、完全抗体であり得る。例えば、抗エキソサイト１抗体分子は、ＩｇＧ、ＩｇＡ、ＩｇＥ、またはＩｇＭ、あるいは任意のアイソタイプのサブクラス、特にＩｇＧ１およびＩｇＧ４であってもよい。抗エキソサイト１抗体分子は、モノクローナル抗体であってもよい。他の好ましい実施形態では、抗エキソサイト１抗体分子は、抗体の断片であってもよい。
【誤訳訂正２】
【訂正対象書類名】明細書
【訂正対象項目名】００４７
【訂正方法】変更
【訂正の内容】
【００４７】
抗エキソサイト１抗体分子は、上述したように、任意のフォーマットであってもよい。いくつかの好ましい実施形態では、抗エキソサイト１抗体分子は、完全抗体、例えば、ＩｇＧ１もしくはＩｇＧ４等のＩｇＧ、ＩｇＡ、ＩｇＥまたはＩｇＭであり得る。
【誤訳訂正３】
【訂正対象書類名】明細書
【訂正対象項目名】００６３
【訂正方法】変更
【訂正の内容】
【００６３】
典型的な抗体の用量は、全身投与では１００μｇ〜１ｇ、そして局所投与では１μｇ〜１ｍｇの範囲内であるだろう。初期に高い負荷の用量を投与し、それに続いて１つ以上の低い用量を投与してもよい。典型的には、抗体は、例えば、ＩｇＧ１またはＩｇＧ４アイソタイプといった完全抗体となるだろう。これは、成人患者の一回の治療用の用量であり、これを、子供や乳幼児用に比例的に調整してもよく、そして、分子量に比例して他の抗体の構成に合わせて調整してもよい。治療は、医師の裁量で、毎日、週２回、毎週または毎月の間隔で繰り返すことができる。個々の治療スケジュールは、抗体組成物の薬物動態的および薬力学的性質、投与経路および治療する症状の性質に依存し得る。
【誤訳訂正４】
【訂正対象書類名】特許請求の範囲
【訂正対象項目名】全文
【訂正方法】変更
【訂正の内容】
【特許請求の範囲】
【請求項１】
それぞれ、配列番号３、４および５の配列を有するＨＣＤＲ１、ＨＣＤＲ２およびＨＣＤＲ３を含むＶＨドメイン、ならびにそれぞれ配列番号８および９の配列を有するＬＣＤＲ２およびＬＣＤＲ３および配列番号７の配列を有するＬＣＤＲ１もしくは配列番号６のＳ３０に相当する１アミノ酸残基に置換を導入する変異によりグリコシル化部位が消去された配列番号７の配列を有するＬＣＤＲ１を含むＶＬドメインを含む、トロンビンのエキソサイト１領域に特異的に結合する単離された抗体分子。
【請求項２】
トロンビン活性を阻害する、請求項１に記載の抗体分子。
【請求項３】
配列番号２のアミノ酸配列を有するＶＨドメインを含む、請求項１又は２に記載の抗体分子。
【請求項４】
配列番号６のアミノ酸配列を有するＶＬドメイン又はアミノ酸Ｓ３０における１アミノ酸の置換によりグリコシル化部位が消去された配列番号６のアミノ酸配列を有するＶＬドメインを含む、請求項１〜３のいずれか１項に記載の抗体分子。
【請求項５】
配列番号２のアミノ酸配列を有するＶＨドメイン、及び配列番号６のアミノ酸配列を有するＶＬドメイン又はアミノ酸Ｓ３０における１アミノ酸の置換によりグリコシル化部位が消去された配列番号６のアミノ酸配列を有するＶＬドメインを含む、請求項１〜３のいずれか１項に記載の抗体分子。
【請求項６】
完全抗体である、請求項１〜５のいずれか１項に記載の抗体分子。
【請求項７】
ＩｇＡまたはＩｇＧである、請求項６に記載の抗体分子。
【請求項８】
抗体の断片である、請求項１〜５のいずれか１項に記載の抗体分子。
【請求項９】
モノクローナル抗体である、請求項１〜５のいずれか１項に記載の抗体分子。
【請求項１０】
請求項１〜９のいずれか１項に記載の抗体分子および医薬的に許容される賦形剤を含む、医薬組成物。
【請求項１１】
トロンビン介在性の状態の治療に使用するための医薬の製造における請求項１〜９のいずれか１項に記載の抗体分子の使用。
【請求項１２】
トロンビン介在性の状態は血栓性の状態である、請求項１１に記載の使用。
【請求項１３】
血栓性の状態は、血栓症または塞栓症である、請求項１２に記載の使用。
【請求項１４】
トロンビン介在性の状態は、炎症、感染症、腫瘍の増殖、腫瘍の転移または認知症である、請求項１１に記載の使用。
【請求項１５】
請求項１〜９のいずれか１項に記載の抗体分子を含む、トロンビン介在性の状態を治療するための医薬組成物。
【請求項１６】
トロンビン介在性の状態は血栓性の状態である、請求項１５に記載の医薬組成物。
【請求項１７】
血栓性の状態は、血栓症または塞栓症である、請求項１６に記載の医薬組成物。
【請求項１８】
トロンビン介在性の状態は、炎症、感染症、腫瘍の増殖、腫瘍の転移または認知症である、請求項１５に記載の医薬組成物。
【誤訳訂正書】
【提出日】平成28年12月6日(2016.12.6)
【誤訳訂正１】
【訂正対象書類名】特許請求の範囲
【訂正対象項目名】全文
【訂正方法】変更
【訂正の内容】
【特許請求の範囲】
【請求項１】
出力信号を提供するためのユーザーインターフェイスであって、前記出力信号は装置の少なくとも１つの設定をコントロールするように適合されており、
前記ユーザーインターフェイスは：
音響センサーから受け取った音声信号の第１の特性の変動を決定するように構成されている音声プロセッサであり、前記音声信号はユーザーによって生成された言語的でない音響入力を表しており、前記変動は、前記第１の特性がとり得る多数の離散値又は連続した範囲の値の一部分の中におけるものである、音声プロセッサと、
前記出力信号を生成するように構成されているコントローラーであり、前記出力信号は、前記少なくとも１つの設定をコントロールするための前記出力信号がとり得る多数の離散値又は連続した範囲の値の中で変化し、前記出力信号の変化は前記第１の特性の前記変動に対して比例的である、コントローラーと、
を含む、ユーザーインターフェイス。
【請求項２】
前記音声プロセッサは、さらに、
前記音声信号を処理して、前記音声信号の第２の特性を引き出す、
請求項１に記載のユーザーインターフェイス。
【請求項３】
前記音声信号の前記第１の特性の前記変動は、前記音声信号の周波数成分における時間的な変化、または、前記音声信号の大きさ成分における時間的な変化に関連している、
請求項１に記載のユーザーインターフェイス。
【請求項４】
前記音声信号の前記第１の特性の前記変動は、ある時間期間にわたり保持されている、周波数成分、及び／又は、前記音声信号の大きさ成分の持続時間における変化に関連している、
請求項１に記載のユーザーインターフェイス。
【請求項５】
前記音声プロセッサは、さらに、前記音声信号がトリガー基準を満たしているか否かを決定するために前記音声信号を処理するように構成されており、
前記コントローラーは、前記音声信号が前記トリガー基準を満たしているとの決定に応じて、前記出力信号を生成するように構成されている、
請求項１に記載のユーザーインターフェイス。
【請求項６】
前記コントローラーは、さらに、前記第２の特性における変動に従って、前記出力信号を生成するように構成されている、
請求項２に記載のユーザーインターフェイス。
【請求項７】
前記コントローラーは、さらに、前記第１の特性および前記第２の特性のうち少なくとも一つに基づいて、前記出力信号を適合させ、及び／又は、別の出力信号を生成するように構成されている、
請求項２に記載のユーザーインターフェイス。
【請求項８】
前記装置は、照明装置であり、
前記少なくとも一つの設定は、色設定、色調設定、飽和設定、色温度設定、インテンシティ設定、スペクトル設定、方向性設定、角度分布設定、のうち少なくとも一つである、
請求項１に記載のユーザーインターフェイス。
【請求項９】
照明装置および音響装置のうち少なくとも一つを含むシステムであって、
いずれか又は両方の装置は、請求項１乃至７のいずれか一項に記載のユーザーインターフェイスによってコントロール可能である、システム。
【請求項１０】
装置の少なくとも１つの設定をコントロールするための出力信号を提供するための方法であって、
音響センサーから受け取った音声信号を処理して、前記音声信号の第１の特性の変動を決定するステップあり、前記音声信号はユーザーからの言語的でない音響入力を表しており、前記変動は、前記第１の特性がとり得る多数の離散値又は連続した範囲の値の一部分の中におけるものである、ステップと、
前記出力信号を生成するステップであり、前記出力信号は、前記少なくとも１つの設定をコントロールするための前記出力信号がとり得る多数の離散値又は連続した範囲の値の中で変化し、前記出力信号の変化は前記第１の特性の前記変動に対して比例的である、ステップと、
を含む、方法。
【請求項１１】
前記方法は、さらに、
前記音声信号の第２の特性を引き出すために、前記音声信号を処理するステップと、
を含む、請求項１０に記載の方法。
【請求項１２】
前記方法は、さらに、
前記第２の特性に基づいて、前記出力信号を生成するステップと、
を含む、請求項１１に記載の方法。
【請求項１３】
前記方法は、さらに、
前記第１の特性および前記第２の特性のうち少なくとも一つに基づいて、前記出力信号を適合させ、及び／又は、別の出力信号を生成するステップと、
を含む、請求項１２に記載の方法。
【請求項１４】
コンピュータープログラムであって、
コンピューターで読取り可能な固定記録媒体上に記録されており、コンピューターデバイス上で実行されると、請求項１０乃至１３のいずれか一項に記載の方法を実行するように構成されている、コンピュータープログラム。
【誤訳訂正２】
【訂正対象書類名】明細書
【訂正対象項目名】００１７
【訂正方法】変更
【訂正の内容】
【００１７】
いくつかの実施例において、出力信号は、装置の少なくとも一つの設定をコントロールするように適合されている。装置は、照明装置であり、少なくとも一つの設定は、以下のうちの少なくとも一つである。すなわち、色設定、色調（ｈｕｅ）設定、飽和（ｓａｔｕｒａｔｉｏｎ）設定、色温度設定、インテンシティ設定、スペクトル設定、方向性設定、角度分布設定、である。照明装置のための実質的に大きく又はおそらく連続した範囲に対するコントロールによって、有利なことに、ユーザーは、簡単な使用方法で、照明システムの照明出力を容易に変化させることができる。上記だけではなく、出力信号は、また、構成可能な設定に係る実質的に大きく又はおそらく連続した範囲を有する他のタイプの装置の少なくとも一つの設定をコントロールするように構成されている。
【誤訳訂正３】
【訂正対象書類名】明細書
【訂正対象項目名】００３４
【訂正方法】変更
【訂正の内容】
【００３４】
一般的に、照明装置８または他のタイプの出力デバイスは、（おそらく多数の）出力の離散値の範囲を提供するように構成されてよい。しかし、有利なことに、デバイスは、システムのユーザーによって認知できるもの（例えば、照明、サウンド、熱、スピード、等）として、実質的に連続した出力範囲を提供するように構成されている。デバイス出力の実質的に連続した範囲は、信号（例えば、出力信号５９）により駆動されるように適合されているデバイスの少なくとも一つの設定によって構成されてよい。例として、ユーザーは、例えばコントローラー７によって生成された出力信号により駆動される照明装置８の、例えばインテンシティまたは色温度における実質的にスムーズな変化を知覚する。ここで出力信号は、例えば、周波数成分、大きさ成分、または、所定の周波数または大きさを保持している音声入力の観察された持続時間、における変化または変動に従って生成される。
【誤訳訂正書】
【提出日】平成29年1月24日(2017.1.24)
【誤訳訂正１】
【訂正対象書類名】明細書
【訂正対象項目名】００１９
【訂正方法】変更
【訂正の内容】
【００１９】
触媒担体は、アルミニウム酸化物の形態のうち１以上を含むアルミナ、シリカ（ＳｉＯ2）、チタニア（ＴｉＯ2）、マグネシア（ＭｇＯ）、酸化ジルコニウム（ＺｒＯ2）、酸化亜鉛（ＺｎＯ）、そして、これらの混合物である。担体は、アルミニウム酸化物の形態のうち１以上を含むアルミナと、チタニア（ＴｉＯ2）とからなるグループから選択するのが好ましい。担体は、アルミニウム酸化物の形態のうち１以上を含むアルミナとするのが更に好ましい。
【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
以下の工程を含む、個体における免疫活性化を検出する方法：
個体のリンパ球由来の核酸の試料中の組換え配列からアンプリコンを生成する工程であって、該組換え配列はそれぞれ、B細胞受容体のC遺伝子セグメントの少なくとも一部分を含み、該アンプリコンの各配列が該C遺伝子セグメントの該一部分を含む、工程；
クロノタイプのプロファイルを生成するために該アンプリコンを配列決定する工程であって、各クロノタイプが、B細胞受容体のVDJ領域の少なくとも一部分およびC遺伝子セグメントの少なくとも一部分を含む、工程；ならびに
該プロファイルにおいて、同一のVDJ領域を有しかつ異なるC遺伝子セグメントを有するクロノタイプのレベルを決定する工程。
【請求項２】
前記C遺伝子セグメントが、前記B細胞受容体のIgH鎖をコードするヌクレオチド配列に由来する、請求項1に記載の方法。
【請求項３】
前記クロノタイプのプロファイルが、少なくとも104種のクロノタイプを含む、請求項2に記載の方法。
【請求項４】
同一のVDJ領域を有しかつ異なるCセグメントを有する前記クロノタイプの前記レベルを、前記個体における免疫活性化と相関させる工程をさらに含む、請求項2に記載の方法。
【請求項５】
前記レベルが参照範囲の上限を上回る場合に、前記レベルは免疫活性化と相関がある、請求項4に記載の方法。
【請求項６】
前記参照範囲が集団平均に基づいている、請求項5に記載の方法。
【請求項７】
前記個体の前記リンパ球が前記個体の末梢血から得られる、請求項1に記載の方法。
【請求項８】
以下の工程を含む、個体における免疫活性化を検出する方法：
個体のリンパ球由来の核酸の試料中の組換え配列を増幅する工程であって、該組換え配列はそれぞれ、B細胞受容体のC遺伝子セグメントの少なくとも一部分を含み、該組換え配列の増幅が、アンプリコンを形成するためにC遺伝子セグメントに特異的なプライマーを含むポリメラーゼ連鎖反応において実施される、工程；
クロノタイププロファイルを生成するために該アンプリコンを配列決定する工程であって、各クロノタイプが、B細胞受容体のVDJ領域の少なくとも一部分およびC遺伝子セグメントの少なくとも一部分を含む、工程；
該クロノタイププロファイルにおいて、同一のVDJ領域を有しかつ異なるC遺伝子セグメントを有するクロノタイプのレベルを決定する工程；ならびに
そのようなレベルが参照範囲の上限を上回る場合に、そのようなレベルを該個体における免疫活性化と相関させる工程。
【請求項９】
前記C遺伝子セグメントが、前記B細胞受容体のIgH鎖をコードするヌクレオチド配列に由来する、請求項8に記載の方法。
【請求項１０】
前記クロノタイプのプロファイルが、少なくとも104種のクロノタイプを含む、請求項8に記載の方法。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
固形組織に浸潤した、機能的サブセットに属するリンパ球を同定するための方法であって、
個体の入手しやすい組織に由来するリンパ球の試料を、少なくとも１つの機能的サブセットに選別すること；
前記少なくとも１つのサブセットから得られた組換え核酸分子を増幅して複数のアンプリコンを得ることと、生じた該複数のアンプリコンのハイスループットシーケンシングを実施して、各機能的サブセットの個々のリンパ球を識別するクロノタイプ配列のリストを提供することとによって、該入手しやすい組織に由来するリンパ球の機能的サブセットの各々についてクロノタイププロファイルを生成すること；
該固形組織の少なくとも1つの試料から少なくとも1つのクロノタイププロファイルを生成することであって、固形組織の前記少なくとも1つの試料から得られた組換え核酸分子を増幅して複数のアンプリコンを得ることと、生じた該複数のアンプリコンのハイスループットシーケンシングを実施して各試料中のクロノタイプ配列のリストを提供することとによって少なくとも1つのクロノタイププロファイルを生成すること；および
該入手しやすい組織由来の機能的サブセットのクロノタイプ配列のリストに存在する該固形組織由来のクロノタイプ配列を同定することであって、該機能的サブセットのうちの１つ以上についてのクロノタイププロファイルのうちの１つ以上が少なくとも３０ヌクレオチドの少なくとも１０００種のクロノタイプを含む、クロノタイプ配列を同定することによって、該入手しやすい組織から該固形組織へと浸潤した、機能的サブセットに属するリンパ球を同定すること、
を含む方法。
【請求項２】
リンパ球の前記少なくとも１つの機能的サブセットのうちの少なくとも1つが、細胞傷害性T細胞、ヘルパーT細胞、調節性T細胞、Th1 T細胞、Th2 T細胞、Th9 T細胞、Th17 T細胞、および／またはTfh T細胞を含む、請求項1に記載の方法。
【請求項３】
前記同定することが、前記少なくとも１つの機能的サブセットの各々のリンパ球の数、レベル、および／または比率を決定することをさらに含む、請求項2に記載の方法。
【請求項４】
前記固形組織が固形腫瘍である、請求項3に記載の方法。
【請求項５】
リンパ球の前記少なくとも１つの機能的サブセットが、調節性T細胞および細胞傷害性T細胞を含む、請求項4に記載の方法。
【請求項６】
前記同定することが、前記固形腫瘍中の調節性T細胞のレベル 対 細胞傷害性T細胞のレベルの比率を決定することを含む、請求項5に記載の方法。
【請求項７】
リンパ球の前記少なくとも１つの機能的サブセットが、抗原特異的T細胞の少なくとも1つのサブセットを含む、請求項3に記載の方法。
【請求項８】
前記入手しやすい組織が前記個体の末梢血、骨髄、リンパ液、滑液、または脊髄液である、請求項1に記載の方法。
【請求項９】
前記入手しやすい組織が前記個体の末梢血である、請求項8に記載の方法。
【請求項１０】
前記同定することが、前記少なくとも１つの機能的サブセットの各々におけるリンパ球の数を、そのそれぞれのクロノタイプをカウントすることによって数えることをさらに含む、請求項1に記載の方法。
【請求項１１】
前記固形組織の試料が、前記固形組織の異なる位置から取得された複数の組織試料を含む、請求項1に記載の方法。
【請求項１２】
リンパ球の前記少なくとも１つの機能的サブセットが、ヘルパーT細胞および細胞傷害性T細胞を含む、請求項1に記載の方法。
【請求項１３】
ヘルパーT細胞がFoxP3+調節性T細胞である、請求項12に記載の方法。
【請求項１４】
細胞傷害性T細胞がCD8+マーカーによって同定され、かつ調節性T細胞がマーカーCD4+、CD25+(高)、およびCD127(低)によって同定される、請求項13に記載の方法。
【請求項１５】
前記固形組織が固形腫瘍である、請求項14に記載の方法。
【請求項１６】
リンパ球の前記少なくとも１つの機能的サブセットが、1つまたは複数の細胞表面マーカーまたは細胞内マーカーに基づいて別々の容器に選別される、請求項1に記載の方法。
【請求項１７】
リンパ球の前記少なくとも１つの機能的サブセットを選別することが、蛍光活性化セルソーター (FACS) を用いて実行される、請求項16に記載の方法。
【請求項１８】
前記クロノタイププロファイルの前記クロノタイプの各々が、T細胞受容体の組換え部分を含む、請求項1に記載の方法。
【請求項１９】
前記クロノタイププロファイルの前記クロノタイプの各々が、T細胞受容体β鎖をコードする核酸のV(D)J領域の少なくとも一部分を含む、請求項18に記載の方法。
【請求項２０】
前記クロノタイププロファイルの全てが、少なくとも10６種のクロノタイプを含む、請求項１９に記載の方法。
【請求項２１】
前記固形組織が、自己免疫疾患に罹患している固形組織である、請求項1に記載の方法。
【請求項２２】
リンパ球の前記少なくとも１つの機能的サブセットのうちの少なくとも1つが、細胞傷害性T細胞、ヘルパーT細胞、調節性T細胞、Th1 T細胞、Th2 T細胞、Th9 T細胞、Th17 T細胞、および／またはTfh T細胞より選択され、かつ前記同定することが、前記少なくとも１つの機能的サブセットの各々のリンパ球の数、レベル、および／または比率を決定することをさらに含む、請求項２１に記載の方法。
【請求項２３】
リンパ球の前記少なくとも１つの機能的サブセットが、調節性T細胞、Th1 T細胞、Th2 T細胞、Th9 T細胞、Th17 T細胞、Tfh T細胞、および／または抗原特異的T細胞の1つの機能的サブセットを含む、請求項２２に記載の方法。
【請求項２４】
前記固形組織が、結腸組織、小腸組織、皮膚、結合組織、皮下組織、肺組織、および腎臓組織からなる群より選択される、請求項２２に記載の方法。
【請求項２５】
前記固形組織が正常組織であり、かつリンパ球の前記少なくとも１つの機能的サブセットのうちの少なくとも1つが、T細胞、細胞傷害性T細胞、ヘルパーT細胞、調節性T細胞、Th1 T細胞、Th2 T細胞、Th9 T細胞、Th17 T細胞、Tfh T細胞、および抗原特異的T細胞より選択され、かつ前記同定することが、前記少なくとも１つの機能的サブセットの各々のリンパ球の数、レベル、および／または比率を決定することをさらに含む、請求項1に記載の方法。
【請求項２６】
該個体の入手しやすい組織に由来するリンパ球の試料を、少なくとも２つの機能的サブセットに選別することをさらに含む、請求項１に記載の方法。
【請求項２７】
該個体の入手しやすい組織に由来するリンパ球の試料を、少なくとも３つの機能的サブセットに選別することをさらに含む、請求項１に記載の方法。
【請求項２８】
該個体の入手しやすい組織に由来するリンパ球の試料を、少なくとも４つの機能的サブセットに選別することをさらに含む、請求項１に記載の方法。
【請求項２９】
該個体の入手しやすい組織に由来するリンパ球の試料を、少なくとも５つの機能的サブセットに選別することをさらに含む、請求項１に記載の方法。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
環境を照らすための天井据付け可能な照明器具であり、カメラによって捕捉される当該天井据付け可能な照明器具の画像に基づいて前記カメラの向きを割り出す際に使用するための、天井据付け可能な照明器具であって、
光を放つオン状態及び光を放たないオフ状態を有する光源であって、前記光源は対称性を有する形状のものであり、前記オフ状態で前記対称性を示して見える、光源と、
対称性の見た目を破る照明効果を伴って前記オン状態で光を放つように前記光源を制御するコントローラと
を含む、天井据付け可能な照明器具。
【請求項２】
前記照明効果は人間の視覚では感知できず、前記カメラでは感知でき、前記光源は人間にとっては前記対称性の見た目を有する前記光を放つ一方、前記カメラによって検出されるときは前記照明効果が前記対称性の見た目を破る、請求項１に記載の天井据付け可能な照明器具。
【請求項３】
前記天井据付け可能な照明器具が、面を画定する表面上に据え付けるためのものであり、前記対称性は前記表面の前記面内にある、請求項１又は２に記載の天井据付け可能な照明器具。
【請求項４】
前記照明効果が前記表面の前記面内で対称性を有さない、請求項３に記載の天井据付け可能な照明器具。
【請求項５】
前記コントローラが符号化光を使用して前記照明効果をもたらす、請求項１乃至４の何れか一項に記載の天井据付け可能な照明器具。
【請求項６】
前記光源が非対称セクションに分けられ、前記コントローラが、様々な前記セクションから光を異なるように放つことにより前記照明効果をもたらす、請求項１乃至５の何れか一項に記載の天井据付け可能な照明器具。
【請求項７】
前記コントローラが、異なるように符号化された光を前記セクションのそれぞれから放つことにより、又は前記セクションの１つから符号化光を放つ一方、前記セクションの別のものから符号化されていない光を放つことにより前記照明効果をもたらす、請求項５及び６に記載の天井据付け可能な照明器具。
【請求項８】
光を放ち、対称性を有する形状の光源の画像を含む画像データをカメラから受け取るための入力部と、
前記光源の前記画像に基づく幾何学的遠近計算を行うことにより、前記光源に対する前記カメラの向きを割り出す画像解析モジュールと
を含む装置であって、
前記画像解析モジュールは、対称性の見た目を破る前記光源によって放たれる前記光の中の照明効果を検出することによって前記向きの曖昧さを解決する、
装置。
【請求項９】
前記照明効果は前記対称性の見た目を破るための符号化光を使用することを含み、前記装置が前記符号化光を検出するための符号化光検出モジュールを含み、前記画像解析モジュールが前記照明効果を検出することにより、前記符号化光検出モジュールによって検出される前記符号化光に基づいて前記曖昧さを解決する、請求項８に記載の装置。
【請求項１０】
前記画像解析モジュールが前記幾何学的遠近計算の一部として前記光源に対する前記カメラの距離を更に検出し、前記距離及び前記向きは一緒に前記光源に対する前記カメラの位置を与える、請求項８又は９に記載の装置。
【請求項１１】
前記光源の地理的位置を取得し、前記光源に対する前記カメラの前記位置と組み合わせた前記光源の前記地理的位置に基づいて、前記カメラの地理的位置を割り出す位置決定モジュールを含む、請求項１０に記載の装置。
【請求項１２】
前記画像データが単一の光源の画像を含み、前記画像解析モジュールが、前記幾何学的遠近計算を行い、前記単一の光源の取得済みの１つ又は複数の物理的寸法を前記単一の光源の前記画像の１つ又は複数の見掛けの寸法と比較することにより、前記光源からの前記カメラの前記距離を割り出す、請求項８乃至１１の何れか一項に記載の装置。
【請求項１３】
前記画像データが１つ又は複数の他の物体の画像を更に含み、前記画像解析モジュールが、前記１つ又は複数の他の物体の前記画像を前記幾何学的遠近計算において更に含める、請求項８乃至１２の何れか一項に記載の装置。
【請求項１４】
前記装置が前記カメラを含む、請求項８乃至１３の何れか一項に記載の装置。
【請求項１５】
プロセッサ上で実行されるとき、
光を放ち、対称性を有する形状の光源の画像を含む画像データをカメラから受け取るステップと、
前記光源の前記画像に基づく幾何学的遠近計算を行うことにより、前記光源に対する前記カメラの向きを割り出すステップと、
対称性の見た目を破る前記光源によって放たれる光の中の照明効果を検出することによって前記向きの曖昧さを解決するステップと
を実行する、コンピュータ可読記憶媒体上に具現化される、コンピュータプログラム。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
メガボルトX線放射を検出する検出器であって、
入射メガボルトX線放射に応答してシンチレーション光子を放出する複数のヘビー・シンチレーション・ファイバーを含むシンチレーターであって、前記複数のヘビー・シンチレーション・ファイバーは無機のZ有効な材料を含み、メガボルトX線放射を放出する放射源の方向を向いている、シンチレーターと；
前記複数のヘビー・シンチレーション・ファイバーを支持し、その場に保持するための支持構造と；
放出されたシンチレーション光子の空間強度分布を検出する光検出器とを有する、
検出器。
【請求項２】
前記支持構造が、前記ヘビー・シンチレーション・ファイバーの少なくとも一つの端部を挿入するための開口を有する、請求項１記載の検出器。
【請求項３】
前記支持構造が、前記ヘビー・シンチレーション・ファイバーを、一つまたは複数のバンドルにおいておよび／またはアレイにおいて、ある焦点のほうを向くよう配向されるように保持する、請求項１記載の検出器。
【請求項４】
前記ヘビー・シンチレーション・ファイバーはCe添加オルトケイ酸ルテチウムイットリウム、LSO/LYSO、Ce添加またはPr添加ルテチウムアルミニウムガーネット、LuAG:Ce/LuAG:Pr、Ce添加イットリウムアルミニウムペロブスカイト、YAP:Ce、Ce添加オルトケイ酸イットリウム、YSO:Ce、ゲルマン酸ビスマス、PWO、BGOまたはGAGG:Ceシンチレーターであって単結晶またはセラミック配合でありルテチウムのような希土類材料をロードされているまたはされていないものを有する、請求項１記載の検出器。
【請求項５】
前記支持構造が前記ヘビー・シンチレーション・ファイバーどうしの間および／または前記開口の内側表面上に反射性材料を有する、請求項１記載の検出器。
【請求項６】
前記ヘビー・シンチレーション・ファイバー上に堆積された反射性材料のカバーを有する、請求項１記載の検出器。
【請求項７】
放出されたシンチレーション光子を前記ヘビー・シンチレーション・ファイバーから前記光検出器に伝えるために前記ヘビー・シンチレーション・ファイバーと前記光検出器との間に配置された光学層をさらに有する、請求項１記載の検出器。
【請求項８】
放出されたシンチレーション光子を前記ヘビー・シンチレーション・ファイバーから前記光検出器に伝えるために前記ヘビー・シンチレーション・ファイバーと前記光検出器との間に配置された光ファイバーをさらに有する、請求項１記載の検出器。
【請求項９】
前記光ファイバーが、前記ヘビー・シンチレーション・ファイバーの前記光検出器との柔軟な接続を許容するよう柔軟である、請求項８記載の検出器。
【請求項１０】
各ヘビー・シンチレーション・ファイバーが光伝導性糊によって光ファイバーに接続されている、請求項８記載の検出器。
【請求項１１】
メガボルトX線放射を生成する粒子加速器と；
前記メガボルトX線放射を使うことによる放射線療法での処置にかけられる患者またはオブジェクトを支持する被験体支持部と；
請求項１記載のメガボルトX線放射を検出する検出器とを有する、
放射線療法装置。
【請求項１２】
同じメガボルトX線放射を使うことによる同時の処置および検出のために構成されている、請求項１１記載の装置。
【請求項１３】
前記粒子加速器が、前記被験体支持部の上の患者またはオブジェクトに処置線量よりも低い放射線量を送達するメガボルトX線放射のパルスを生成するよう構成されており、前記検出器が、メガボルトX線放射の前記パルスを検出するよう構成されている、請求項１１記載の装置。
【請求項１４】
メガボルトX線放射を検出する方法であって、
入射放射に応答してシンチレートするよう構成された無機のZ有効なシンチレーター材料をもってシンチレーション光子を放出することであって、前記シンチレーター材料は入射メガボルトX線放射に応答する複数のヘビー・シンチレーション・ファイバーに形成されており、前記複数のシンチレーション・ファイバーはメガボルトX線放射を放出する放射源の方向を向いている、ことと；
前記複数のヘビー・シンチレーション・ファイバーを支持し、その場に保持することと；
光検出器により、前記シンチレーション・ファイバーにおける放出されたシンチレーション光子の空間強度分布を検出することとを含む、
方法。
【請求項１５】
放射線療法のための方法であって、
粒子加速器によって生成されたメガボルトX線放射を放出することと；
前記メガボルトX線放射を使うことによる放射線療法での処置にかけられる患者またはオブジェクトを支持することと；
請求項１４記載の方法により前記メガボルトX線放射を検出することとを含む、
方法。
【請求項１６】
放射源からのメガボルトX線放射を検出する検出器であって、
入射メガボルトX線放射に応答してシンチレートするよう構成された、50より大きな原子番号をもつ材料の複数のシンチレーション・ファイバーと；
入力面がある焦点に面し、前記複数のシンチレーション・ファイバーが前記焦点に焦点を合わせるよう、前記複数のヘビー・シンチレーション・ファイバーを保持するよう構成された支持構造と；
光を検出するよう構成された光検出器であって、前記光検出器は、前記シンチレーション・ファイバーにおいて生成されたシンチレーションによって生成された光を検出するよう前記シンチレーション・ファイバーの出力面と光学的に結合されている、光検出器とを有する、
検出器。
【請求項１７】
前記ヘビー・シンチレーション・ファイバーはCe添加オルトケイ酸ルテチウムイットリウム、LSO/LYSO、Ce添加またはPr添加ルテチウムアルミニウムガーネット、LuAG:Ce/LuAG:Pr、Ce添加イットリウムアルミニウムペロブスカイト、YAP:Ce、Ce添加オルトケイ酸イットリウム、YSO:Ce、ゲルマン酸ビスマス、PWO、BGOまたはGAGG:Ceシンチレーターであって単結晶またはセラミック配合でありルテチウムのような希土類材料をロードされているまたはされていないものを有する、請求項１６記載の検出器。
【請求項１８】
各シンチレーション・ファイバーの表面と前記支持構造との間に反射性材料をさらに含む、
請求項１６記載の検出器。
【請求項１９】
放出されたシンチレーション光子を前記シンチレーション・ファイバーから前記光検出器に伝えるために前記シンチレーション・ファイバーの出力面と前記光検出器とを光学的に結合する柔軟な光ファイバーをさらに有する、
請求項１６記載の検出器。
【請求項２０】
メガボルトX線放射を生成する粒子加速器と；
前記メガボルトX線放射を使うことによる放射線療法での処置にかけられる患者またはオブジェクトを支持する被験体支持部と；
請求項１６記載の検出器とを有する、
放射線療法装置。
【誤訳訂正書】
【提出日】平成29年7月25日(2017.7.25)
【誤訳訂正１】
【訂正対象書類名】特許請求の範囲
【訂正対象項目名】全文
【訂正方法】変更
【訂正の内容】
【特許請求の範囲】
【請求項１】
患者から既に排出された血液中に存在する変異ルテリアルを顕微鏡を用いて観察するステップを含む、癌の診断および予後の予測のための情報を提供する方法であって、
変異ルテリアルは、正常なルテリアルと比較して、６００ｎｍ以上のサイズを有し、
変異ルテリアルは、鞭毛形、マス形、ロッド形、又は複合形の形態を有し、
前記鞭毛形とは、変形または融合を起こしてルテリアルの外部に鞭毛が備えられた形態であり、
前記マス形とは、長径と短径との比が１：１〜３：１である正常なルテリアルと比較して、変形または融合を起こして長径と短径との比が３：１〜５：１である形態であり、
前記ロッド形とは、長径と短径との比が１：１〜３：１である正常なルテリアルと比較して、変形または融合を起こして長径と短径との比が５：１〜１２：１である形態であり、
前記複合形とは、ロッド形とマス形の融合形態であり、
変異ルテリアルは、ナノトラッキング速度が１２μｍ／ｓｅｃ以上である正常なルテリアルと比較して、０．５〜１１μｍ／ｓｅｃのナノトラッキング速度を有する、
前記方法。
【請求項２】
前記（ａ）ステップはルテリアルをローダミン１２３、ミトトラッカー、アクリジンオレンジ、ＤＡＰＩ及びヤーヌスグリーンＢからなる群より選択される一つ以上の染料で染色し発色させて、測定することを特徴とする請求項１に記載の疾病の診断および予後の予測のための情報を提供する方法。
【請求項３】
前記ルテリアルは血液から血清を分離するステップと、前記分離した血清から、１００ｎｍ〜２ｍｍの直径の空隙を備えたフィルターを通過していない沈殿物を分離するステップと、前記分離した沈殿物を洗浄するステップと、を含む方法により分離されることを特徴とする請求項１に記載の疾病の診断および予後の予測のための情報を提供する方法。
【請求項４】
変異ルテリアルの長径が２０μｍ以上であるかを観察するステップを更に含むことを特徴とする請求項１〜３のいずれか一項に記載の疾病の診断および予後の予測のための情報を提供する方法。
【請求項５】
変異ルテリアルの外部に被膜が形成されているかを観察するステップを更に含むことを特徴とする請求項１〜３のいずれか一項に記載の疾病の診断および予後の予測のための情報を提供する方法。
【請求項６】
ルテリアルのナノトラッキング速度が８．０〜１１μｍ／ｓｅｃであるか、２．５〜８．０μｍ／ｓｅｃであるか、０．５〜２．５μｍ／ｓｅｃであるか、又は０．５μｍ／ｓｅｃ未満であるかを観察するステップを更に含むことを特徴とする請求項１〜３のいずれか一項に記載の疾病の診断および予後の予測のための情報を提供する方法。
【請求項７】
患者から既に排出された血液中に存在する、健常人のルテリアル、正常なルテリアル、または赤血球と異なる、変異ルテリアルを顕微鏡を用いて測定するステップを含む、癌の診断および予後予測の補助のための方法であって、
変異ルテリアルは、５０〜５００ｎｍのサイズのルテリアルと比較して、６００ｎｍ以上のサイズを有し、
変異ルテリアルは、鞭毛形、マス形、ロッド形、又は複合形の形態を有し、
前記鞭毛形とは、変形または融合を起こしてルテリアルの外部に鞭毛が備えられた形態であり、
前記マス形とは、長径と短径との比が１：１〜３：１であるルテリアルと比較して、変形または融合を起こして長径と短径との比が３：１〜５：１である形態であり、
前記ロッド形とは、長径と短径との比が１：１〜３：１であるルテリアルと比較して、変形または融合を起こして長径と短径との比が５：１〜１２：１である形態であり、
前記複合形とは、ロッド形とマス形の融合形態であり、
変異ルテリアルは、ナノトラッキング速度が１２μｍ／ｓｅｃ以上であるルテリアルと比較して、０．５〜１１μｍ／ｓｅｃのナノトラッキング速度を有し、
変異ルテリアルの外部に被膜が形成されているかを確認する、前記方法。
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
人による目視検査及び光学分析機器の少なくともいずれかで使用するように構成された標準粒子懸濁液であって、
溶液と、
前記溶液中に懸濁された１つ又は複数の標準粒子であって、各複数の標準粒子は限定された粒度分布及び形状分布を有し、前記標準粒子は生物学的粒子に類似する限定された屈折率及び浮揚性を有する、標準粒子と、
前記溶液中の１つ又は複数の添加物であって、前記添加物は前記溶液中の前記標準粒子の屈折率差を調整して、前記生物学的粒子とそれらの原溶液との屈折率差と同じにする添加物と、
を備える標準粒子懸濁液。
【請求項２】
選択された標準粒子径は約１ナノメートルから約１ミリメートルの範囲である、請求項１記載の懸濁液。
【請求項３】
前記標準粒子は、ＰＴＦＥ、ＥＴＦＥ、ＰＤＭＳ、及びＦＥＰからなる群から選択されるポリマー材料を含む、請求項１記載の懸濁液。
【請求項４】
前記標準粒子の少なくとも１つは、１つ又は複数のパターンを含む、請求項１記載の懸濁液。
【請求項５】
前記パターンの少なくとも１つは、前記標準粒子の前記長さに沿って幅及び分離を変えるストライプ含む、請求項４記載の懸濁液。
【請求項６】
前記懸濁液は、光学分析機器の較正及び検証の少なくともいずれかのために使用される、請求項１記載の懸濁液。
【請求項７】
人による目視検査及び光学分析機器の少なくともいずれかで使用するように構成された標準粒子懸濁液であって、
前記溶液中に懸濁された１つ又は複数の標準粒子であって、各複数の標準粒子は限定された粒度分布及び形状分布を有し、前記標準粒子は選択された粒子径近傍の限定された粒度分布を有し、前記標準粒子は生物学的粒子に類似する限定された屈折率及び浮揚性を有する、標準粒子と、
前記溶液中の１つ又は複数の添加物であって、前記添加物は前記溶液中の前記標準粒子の屈折率差を調整して、前記生物学的粒子とそれらの原溶液との屈折率差と同じにする添加物と、
を備える標準粒子懸濁液。
【請求項８】
前記標準粒子の屈折率は、前記標準粒子を溶液中で透明にする値から、溶液中で不透明にする値の範囲である、請求項７記載の懸濁液。
【請求項９】
前記選択された粒子径は、約１ナノメートルから約１ミリメートルの範囲である、請求項７記載の懸濁液。
【請求項１０】
前記標準粒子は、ＰＴＦＥ、ＥＴＦＥ、ＰＤＭＳ、及びＦＥＰからなる群から選択されるポリマー材料を含む、請求項７記載の懸濁液。
【請求項１１】
前記標準粒子の少なくとも１つは、１つ又は複数のパターンを含む、請求項７記載の懸濁液。
【請求項１２】
前記パターンの少なくとも１つは、前記標準粒子の前記長さに沿って幅及び分離を変えるストライプ含む、請求項１１記載の懸濁液。
【請求項１３】
前記懸濁液は、光学分析機器の較正及び検証の少なくともいずれかのために使用される、請求項７記載の懸濁液。
【請求項１４】
人による目視検査及び光学分析機器の少なくともいずれかで使用するように構成された標準粒子懸濁液であって、
前記溶液中に懸濁された１つ又は複数の標準粒子であって、各複数の標準粒子は限定された粒度分布及び形状分布を有し、前記標準粒子は生物学的粒子に類似する限定された屈折率及び浮揚性を有し、前記屈折率は前記標準粒子を溶液中で透明にする値から溶液中で不透明にする値の範囲である、標準粒子と、
前記溶液中の１つ又は複数の添加物であって、前記添加物は前記溶液中の前記標準粒子の屈折率差を調整して、前記生物学的粒子とそれらの原溶液との屈折率差と同じにする添加物と、
を備える標準粒子懸濁液。
【請求項１５】
前記標準粒子は、選択された粒子径近傍の限定された粒度分布を有する、請求項１４記載の懸濁液。
【請求項１６】
前記選択された粒子径は、約１ナノメートルから約１ミリメートルの範囲である、請求項１４記載の懸濁液。
【請求項１７】
前記標準粒子は、ＰＴＦＥ、ＥＴＦＥ、ＰＤＭＳ、及びＦＥＰからなる群から選択されるポリマー材料を含む、請求項１４記載の懸濁液。
【請求項１８】
前記標準粒子の少なくとも１つは、１つ又は複数のパターンを含む、請求項１４記載の懸濁液。
【請求項１９】
前記パターンの少なくとも１つは、前記標準粒子の前記長さに沿って幅及び分離を変えるストライプ含む、請求項１８記載の懸濁液。
【請求項２０】
前記懸濁液は、光学分析機器の較正及び検証の少なくともいずれかのために使用される、請求項１４記載の懸濁液。